【手続補正書】
【提出日】平成23年5月26日(2011.5.26)
【手続補正１】
【補正対象書類名】特許請求の範囲
【補正対象項目名】全文
【補正方法】変更
【補正の内容】
【特許請求の範囲】
【請求項１】
移動体装置において視聴覚ストリームを受信し、提示するための方法であって、
複数の通信層を実装する受信機を含む前記移動体装置において、視聴覚情報を含む第１の複数のパケットと、前記通信層のうちの少なくとも１つの層の動作を変更するためのコマンドを含んだ制御情報を含む第２の複数のパケットとを有する複数のパケットを無線方式で受信するステップと、
前記第２の複数のパケット内の前記制御情報に基づいて、前記受信機における通信層のうちの少なくとも１つの層の動作を変更することを含むように前記移動体装置内の前記受信機を構成するステップと、
前記構成の後で、視聴覚情報を含む前記第１の複数のパケットを、前記受信機における前記少なくとも１つの通信層の前記変更された動作に基づいて処理するステップと、
前記処理の後に、前記視聴覚情報を前記移動体装置上で提示するステップと、
を含むことを特徴とする方法。
【請求項２】
前記制御情報は、複数の前記通信層を変更するためのコマンドを含むことを特徴とする請求項１に記載の方法。
【請求項３】
前記制御情報内に含まれる前記コマンドは、階層化ツリー構造で表されるパラメータを変更するように構成されており、前記階層化ツリー構造内のノードの少なくともサブセットの各々が、通信層におけるパラメータを表し、前記階層化ツリー構造が前記受信機構成を表しており、
前記受信機を構成する前記ステップは、前記コマンドを用いて前記階層化ツリー構造内のパラメータを変更するステップを有し、それにより前記受信機の構成を変更するステップを含むことを特徴とする請求項１に記載の方法。
【請求項４】
前記制御情報内に含まれる前記コマンドは、前記ツリー構造に１つ又は複数のノードを追加するための少なくとも１つのコマンドを含み、それにより、前記ツリー構造内に付加的なパラメータが含まれるように機能が拡張されることを特徴とする請求項３に記載の方法。
【請求項５】
前記制御情報は、
前記移動体装置によって用いられるコーデック・タイプ、
前記移動体装置によって受信されるパケットのトランスポート構成、
前記移動体装置によって受信されるパケットにおいて用いられる信号送信、
前記移動体装置によって受信されるパケットにおいて用いられる告知、
受信されたパケットに適用される前方誤り訂正の量、
前記移動体装置によって用いられる符号化方式、
前記移動体装置によって用いられる変調方式
のうちの１つ又は複数を変更するための少なくとも１つのコマンドを含むことを特徴とする請求項１に記載の方法。
【請求項６】
前記構成するステップの後、第３の複数のパケットを受信するステップをさらに含み、前記第３の複数のパケットは、先行する複数のパケット内で受信された前記制御情報から決定された前記受信機の現在の構成を変更する、付加的な制御情報を含むことを特徴とする請求項１に記載の方法。
【請求項７】
前記複数のパケットを受信するステップは、
前記視聴覚情報を含む前記第１の複数のパケットを受信するステップと、
前記制御情報を含む前記第２の複数のパケットを受信するステップと、
を含み、前記第１の複数のパケットは、固定式装置用の視聴覚情報を含むとともに、前記固定式装置用の視聴覚情報の移動体受信を改善することを目的とした付加的な誤りの訂正を含むことを特徴とする請求項１に記載の方法。
【請求項８】
視聴覚ストリームを受信かつ提示するための移動体装置であって、
視聴覚情報を含む第１の複数のパケットと制御情報を含む第２の複数のパケットとを含む複数のパケットを、前記移動体装置で無線方式で受信するためのアンテナと、
複数の通信層を実装するための、前記アンテナに結合された受信機と、
前記視聴覚情報を提示するためのディスプレイと、１つ又は複数のスピーカと
を備え、
前記制御情報は前記受信機における前記通信層の少なくとも１つの層の動作を変更するためのコマンドを含み、
前記移動体装置内の前記受信機は、前記第２の複数のパケット内の前記制御情報に基づいて構成されるように動作可能であり、前記受信機の構成は前記受信機における少なくとも１つの通信層の動作を変更するものであり、
前記受信機は、その構成に基づいて前記第１の複数のパケットを処理するように動作可能であり、前記構成は前記受信機における前記少なくとも１つの通信層の変更された動作を含むものであることを特徴とする移動体装置。
【請求項９】
移動体装置で視聴覚ストリームを受信かつ提示するためのプログラム命令を含む記憶媒体であって、前記プログラム命令により、
複数の通信層を実装する受信機を含む前記移動体装置のおいて、視聴覚情報を含む第１の複数のパケットと前記通信層のうちの少なくとも１つの通信層の動作を変更するためのコマンドを含む制御情報を含んだ第２の複数のパケットとを有する複数のパケットを無線方式で受信し、
前記第２の複数のパケット内の前記制御情報に基づいて、前記受信機で少なくとも1つの通信層の動作を変更をする行程を含むように前記移動体装置内の前記受信機を構成し、
前記構成の後、視聴覚情報を含む前記第１の複数のパケットを、前記受信機内の前記少なくとも１つの通信層の変更された動作に基づいて処理するように
実行することが可能であり、
前記視聴覚情報は、処理後、前記移動体装置上に提示されるように動作可能であることを特徴とする記憶媒体。
【請求項１０】
複数の通信層を実装した受信機を含む移動体装置に視聴覚情報を無線方式で送信するための方法であって、
視聴覚情報を含む第１の複数のパケットを生成するステップと、
前記受信機における前記通信層のうちの少なくとも１つの通信層の動作を変更するためのコマンドを含む制御情報を生成するステップと、
前記制御情報を含む第２の複数のパケットを生成するステップと、
前記移動体装置に、前記第１の複数のパケットと前記第２の複数のパケットとを含む複数のパケットを無線方式で送信するステップと
を含み、
前記第２の複数のパケット内の前記制御情報は、前記移動体装置内の前記受信機を、前記受信機における前記通信層のうちの前記少なくとも１つの通信層の動作を変更することによって構成するために利用可能である、
ことを特徴とする方法。
【請求項１１】
前記制御情報を生成するステップは、
前記複数の通信層の現在のパラメータを検査するステップと、
前記制御情報を生成するステップと
を含み、前記制御情報は、前記受信機における前記複数の通信層の動作を変更するように構成され、前記制御情報は前記受信機内の少なくとも２つの通信層の現在のパラメータに基づいて生成されることを特徴とする請求項１０に記載の方法。
【請求項１２】
前記送信するステップは送信システムによって実行され、前記方法は、
前記送信システムの動作を変更する命令を受信するステップと、
前記命令に基づいて前記送信システムの動作を変更するステップと、
をさらに含み、
前記制御情報を生成するステップは、
前記命令に基づいて、前記受信機における少なくとも１つの第１の通信層に対する少なくとも１つの第１の変更を決定するステップと、
前記受信機における前記少なくとも１つの通信層に対する前記少なくとも１つの第１の変更を行うように構成された１つ又は複数のコマンドを生成するステップと
を含むことを特徴とする請求項１０に記載の方法。
【請求項１３】
前記送信するステップは、前記複数のパケットを前記移動体装置に無線通信媒体上で送信するステップを含み、
前記方法は、
前記無線通信媒体のチャンネル状態を判定するステップと、
前記無線通信媒体の前記チャンネル状態に基づいて、少なくとも１つの第１の通信層に対する少なくとも１つの第１の変更を決定するステップと、
をさらに含み、
前記制御情報を生成するステップは、前記受信機における前記少なくとも１つの第１の通信層に対する前記少なくとも１つの第１の変更を行うように構成された１つ又は複数のコマンドを生成するステップを含むことを特徴とする、請求項１０に記載の方法。
【請求項１４】
前記送信するステップは、送信システムによって実行され、
前記制御情報内に含まれる前記コマンドは、階層化ツリー構造で表されるパラメータを変更するように構成され、前記階層化ツリー構造内の中のノードの少なくともサブセットの各々は、通信層におけるパラメータを表し、前記階層化ツリー構造は前記送信システム及び前記受信機のシステム構成を表しており、
前記受信機を構成する前記ステップは、前記コマンドを用いて前記階層化ツリー構造内のパラメータを変更するステップと、それにより前記システム構成を変更するステップを含むことを特徴とする請求項１０に記載の方法。
【請求項１５】
前記制御情報内に含まれる前記コマンドは、前記ツリー構造に１つ又は複数のノードを追加するための少なくとも１つのコマンドを含み、それにより、前記ツリー構造内に付加的なパラメータを含めるように機能が拡張されることを特徴とする請求項１４に記載の方法。
【請求項１６】
前記複数のパケットを送信するステップは、
前記移動体装置のための視聴覚情報を含む前記第１の複数のパケットを送信するステップと、
前記制御情報を含む前記第２の複数のパケットを送信するステップと、
固定テレビジョン用の標準デジタル・テレビジョン信号を含む第３の複数のパケットを送信するステップと、
を含み、
前記複数のパケットを送信するステップは、前記第１、第２、及び第３の複数のパケットを多重化するステップを含み、
前記パケットを多重化するステップは、前記複数のパケットのそれぞれの相対的帯域幅割当ての比率に基づいて実行されることを特徴とする請求項１０に記載の方法。
【請求項１７】
前記多重化するステップは、前記パケットをその相対的帯域幅に従って均等に分散させるように順序付けするステップを含み、
前記多重化するステップは、送信オーバーヘッドを低減するように動作し、
前記方法は、前記種々のパケット・ストリームの前記帯域幅割当てに関するサイズ情報を送信するステップを含み、前記サイズ情報は受信された前記パケット・ストリームを多重分離するために前記受信機において利用可能であることを特徴とする請求項１６に記載の方法。
【請求項１８】
複数の移動体装置に、無線方式で前記複数のパケットを送信するステップを含み、
前記第２の複数のパケット内の前記制御情報は、前記受信機内の少なくとも1つの通信層の動作を変更することによって、前記複数の移動体装置の少なくとも１つのサブセットに前記受信機を構成するために利用可能であることを特徴とする請求項１０に記載の方法。
【請求項１９】
複数の通信層を実装した受信機を含む移動体装置に視聴覚情報を送信するための送信システムであって、前記送信システムは、
視聴覚情報を含む第１の複数のパケットを生成し、
前記移動体装置における前記通信層のうちの少なくとも１つの通信層の動作を変更するためのコマンドを含む制御情報を生成し、
前記制御情報を含む第２の複数のパケットを生成する
ように構成された送信論理と、
前記移動体装置に、前記第１の複数のパケットと前記第２の複数のパケットとを含む前記複数のパケットを無線方式で送信するための、前記送信論理に結合された送信機と
を備え、
前記第２の複数のパケット内の前記制御情報は、前記移動体装置内の前記受信機を、前記受信機における前記通信層のうちの少なくとも１つの層の動作を変更することによって構成するために利用可能であることを特徴とする送信システム。
【請求項２０】
複数の通信層を実装した受信機を含む移動体装置に視聴覚情報を無線方式で送信するためのパケットを生成するためのプログラム命令を含む記憶媒体であって、前記プログラム命令は、
視聴覚情報を含む第１の複数のパケットを生成し、
前記受信機における前記通信層のうちの少なくとも１つの層の動作を変更するためのコマンドを含む制御情報を生成し、
前記制御情報を含む第２の複数のパケットを生成するように
実行可能であり、
前記複数のパケットは、無線方式で前記移動体装置に送信されるように構成され、前記複数のパケットは、前記第１の複数のパケットと前記第２の複数のパケットとを含み、
前記第２の複数のパケット内の前記制御情報は、前記移動体装置内の前記受信機を、前記受信機における前記通信層のうちの前記少なくとも１つの通信層の動作を変更することによって構成するために利用可能であることを特徴とする記憶媒体。